(57)【要約】【課題】本発明は、視聴者によって選局されたチャンネルにおけるＣＭ放送開始直前の放送が再度出力されることを防止する。【解決手段】第１の放送信号を生成する第１の放送受信部１，３と、第２の放送信号を生成する第２の放送受信部２，４と、ＣＭ放送の開始時点及び終了時点を検出するコマーシャル放送検出部７と、ＣＭ開始前放送信号を記憶する放送信号記憶部５と、ＣＭ放送の終了時点を検出したら、第１の放送信号とＣＭ開始前放送信号との類似の度合いを算出し、類似の度合いが閾値を超えた場合は、これらは類似しないと判定する放送信号比較部６と、放送信号比較部６が類似しないと判定し、かつ、出力部が第２の放送信号を出力している場合、出力部の出力を第２の放送信号から第１の放送信号に切り替えるための制御信号を生成し出力部へ供給する選局決定手段９ａとを備える。【選択図】      図１
2008113326.tif 000002
【特許請求の範囲】
【請求項１】
テレビジョン放送における複数の放送チャンネルのうちのいずれか１つのチャンネルである第１のチャンネルの放送波と、この第１のチャンネル以外の１つのチャンネルである第２のチャンネルの放送波とを同時に受信する放送受信装置であって、
前記複数の放送チャンネルのうちから前記第１のチャンネルおよび前記第２のチャンネルをそれぞれ選局する選局部と、
前記選局部で選局された前記第１のチャンネルの放送波を受信し、第１の放送信号を生成する第１の放送受信部と、
前記選局部で選局された前記第２のチャンネルの放送波を受信し、第２の放送信号を生成する第２の放送受信部と、
前記第１の放送信号と前記第２の放送信号とを、供給される制御信号を基に切り替えて出力する出力部と、
前記第１の放送信号に含まれるＣＭ放送の開始時点及び終了時点を検出するコマーシャル放送検出部と、
前記コマーシャル放送検出部が検出した前記ＣＭ放送の開始時点から予め設定されている所定時間さかのぼった時点までの間に受信していた前記第１の放送信号をＣＭ開始前放送信号として記憶する放送信号記憶部と、
前記コマーシャル放送検出部が前記ＣＭ放送の終了時点を検出したら、この終了時点から前記所定時間経過するまでの間の前記第１の放送信号と、前記ＣＭ開始前放送信号との類似の度合いを算出し、この類似の度合いが予め定めた閾値以下の場合は、前記第１の放送信号と前記ＣＭ開始前放送信号とは類似すると判定し、前記類似の度合いが前記閾値を超えた場合は、前記第１の放送信号と前記ＣＭ開始前放送信号とは類似しないと判定する判定処理を行う放送信号比較部と、
前記放送信号比較部が類似しないと判定し、かつ、前記出力部が前記第２の放送信号を出力している場合、前記出力部の出力を前記第２の放送信号から前記第１の放送信号に切り替えるための制御信号を生成し前記出力部へ供給する選局決定手段と
を備えることを特徴とする放送受信装置。
【請求項２】
前記出力部は、
前記第１の放送信号に含まれる映像信号と前記第２の放送信号に含まれる映像信号とを、供給される制御信号を基に合成又は合成解除する合成器を有し、
前記放送信号比較部が類似しないと判定し、かつ、前記合成器が前記第１の放送信号の映像信号と前記２の放送信号の映像信号とを合成している場合、前記合成器の合成を解除して前記第１の放送信号の映像信号のみを出力するように制御するための制御信号を生成し前記出力部の合成器へ供給する選局決定手段と、
を備えることを特徴とする請求項１に記載の放送受信装置。
【請求項３】
前記第１の放送信号に含まれる各番組コンテンツ毎のジャンルを示す番組ジャンルデータを取得する番組ジャンル取得部を備え、
前記放送信号比較部は、取得した前記番組ジャンルデータを基に、この番組ジャンルデータに対応した番組コンテンツの放送期間内で前記判定処理を行うか否かを決定する判定処理決定器を有し、この判定処理決定器で判定処理を行うと決定された前記番組コンテンツの放送期間内でのみ前記判定処理を行う比較部である
ことを特徴とする請求項１又は２に記載の放送受信装置。
【発明の詳細な説明】
【技術分野】
【０００１】
本発明は、視聴者によって選局されたチャンネルにおけるコマーシャル放送開始直前の放送が再度出力されることを防止する放送受信装置に関する。
【背景技術】
【０００２】
従来、テレビジョン放送の視聴者は、視聴している番組がコマーシャル放送（以下、ＣＭ放送という）に切り替わったとき、そのＣＭ放送を視聴したくない場合等に、リモートコントローラ（以下、リモコンという）を操作することによって他のチャンネルを選局することが多かった。そして、視聴者自身がＣＭ放送の終了時点を予測し、リモコンを操作することによって視聴していた元のチャンネルに戻していた。
【０００３】
しかし、テレビジョン放送の視聴者がＣＭ放送中に他チャンネルの番組を視聴している間に、元々視聴していた番組が始まってしまい、元々視聴していた番組の一部を見逃すという問題点があった。
【０００４】
そこで、テレビジョン放送の視聴者が視聴しているチャンネルの番組がＣＭ放送になったとき自動的に他のチャンネルの放送を受信する状態に切り替え、元々視聴していたチャンネルのＣＭ放送が終了すると元のチャンネルに自動的に切り替えるテレビジョン信号受信装置が提案されている（特許文献１）。
【０００５】
また、テレビジョン放送の視聴者が視聴中のチャンネルの放送番組のＣＭ放送の開始と終了を検知し、ＣＭ放送時、ＣＭ放送中のチャンネルをメイン画面に表示し、少なくとも１つの他のチャンネルを所望の設定に従って一定時間ごとに切り替えて自動選局し、他のチャンネルの放送番組を、少なくとも１つのサブ画面に表示し、ＣＭ放送終了時、サブ画面の表示を中止し、メイン画面で選局中のチャンネルの放送番組のみを表示することを特徴とする自動選局方法が提案されている。（特許文献２）。
【特許文献１】特公平８−８６６８号公報
【特許文献２】特開２００３−２１９３０７号公報
【発明の開示】
【発明が解決しようとする課題】
【０００６】
しかしながら、昨今のテレビジョン放送において、特にバラエティ、ドラマ、アニメ番組等では、ＣＭ放送終了後に、ＣＭ開始直前の放送（以下、ＣＭ開始前放送という）をそのまま、あるいはダイジェスト的に放送する場合が多い。
【０００７】
そのため、特許文献１に記載のテレビジョン信号受信装置や特許文献２に記載の自動選局方法では、ＣＭ放送終了後に、ＣＭ開始前放送を再度放送するので、視聴者は再度ＣＭ開始前放送を視聴するしかなかった。
【０００８】
しかし、このＣＭ開始前放送の内容は、視聴者にとっては一度視聴した内容と同等の内容であるので、このＣＭ開始前放送を再度視聴することを嫌う視聴者も少なくなかった。
【０００９】
本発明は、上記課題に鑑みてなされたものであり、視聴者によって選局されたチャンネルにおけるＣＭ開始前放送が再度出力されることを防止する放送受信装置を提供することを目的とする。
【課題を解決するための手段】
【００１０】
上記目的を達成するため、本発明に係る放送受信装置の第１の特徴は、複数の放送チャンネルのうちから第１のチャンネルおよび第２のチャンネルをそれぞれ選局する選局部と、選局部で選局された第１のチャンネルの放送波を受信し、第１の放送信号を生成する第１の放送受信部と、選局部で選局された第２のチャンネルの放送波を受信し、第２の放送信号を生成する第２の放送受信部と、第１の放送信号と第２の放送信号とを、供給される制御信号を基に切り替えて出力する出力部と、第１の放送信号に含まれるＣＭ放送の開始時点及び終了時点を検出するコマーシャル放送検出部と、コマーシャル放送検出部が検出したＣＭ放送の開始時点から予め設定されている所定時間さかのぼった時点までの間に受信していた第１の放送信号をＣＭ開始前放送信号として記憶する放送信号記憶部と、コマーシャル放送検出部がＣＭ放送の終了時点を検出したら、この終了時点から所定時間経過するまでの間の第１の放送信号と、ＣＭ開始前放送信号との類似の度合いを算出し、この類似の度合いが予め定めた閾値以下の場合は、第１の放送信号とＣＭ開始前放送信号とは類似すると判定し、類似の度合いが閾値を超えた場合は、第１の放送信号とＣＭ開始前放送信号とは類似しないと判定する判定処理を行う放送信号比較部と、放送信号比較部が類似しないと判定し、かつ、出力部が第２の放送信号を出力している場合、出力部の出力を第２の放送信号から第１の放送信号に切り替えるための制御信号を生成し出力部へ供給する選局決定手段とを備えることにある。
【００１１】
上記目的を達成するため、本発明に係る放送受信装置の第２の特徴は、出力部が、第１の放送信号に含まれる映像信号と第２の放送信号に含まれる映像信号とを、供給される制御信号を基に合成又は合成解除する合成器を有し、放送信号比較部が類似しないと判定し、かつ、合成器が第１の放送信号の映像信号と第２の放送信号の映像信号とを合成している場合、合成器の合成を解除して第１の放送信号の映像信号のみを出力するように制御するための制御信号を生成し出力部の合成器へ供給する選局決定手段とを備えることにある。
【００１２】
上記目的を達成するため、本発明に係る放送受信装置の第３の特徴は、第１の放送信号に含まれる各番組コンテンツ毎のジャンルを示す番組ジャンルデータを取得する番組ジャンル取得部を備え、放送信号比較部は、取得した番組ジャンルデータを基に、この番組ジャンルデータに対応した番組コンテンツの放送期間内で判定処理を行うか否かを決定する判定処理決定器を有し、この判定処理決定器で判定処理を行うと決定された番組コンテンツの放送期間内でのみ判定処理を行う比較部であることにある。
【発明の効果】
【００１３】
本発明に係る放送受信装置によれば、視聴者によって選局されたチャンネルにおけるＣＭ開始前放送が再度出力されることを防止することができる。
【発明を実施するための最良の形態】
【００１４】
以下、本発明の実施の形態について図面を参照して説明する。
【００１５】
本実施形態では、視聴者によって元々視聴されているチャンネル（以下、主視聴チャンネルという）がＣＭ放送中に、視聴者によって他チャンネル（以下、副視聴チャンネルという）が選局されたとしても、主視聴チャンネルのＣＭ開始前放送を再度出力することなく、主視聴チャンネルに自動的に切り替える放送受信装置を例に挙げて説明する。
【００１６】
図１は、本発明に係る放送受信装置の一実施形態を示したブロック図である。
【００１７】
本実施形態に係る放送受信装置１００は、放送受信装置１００の動作状態や利用者により操作された操作状態等を表示する表示部１２と、外部入力によるテレビジョン放送の選局信号や主視聴チャンネルへの自動復帰を示すＣＭ終了自動復帰切替要求信号を生成したり、各種設定の入力信号を生成する入力部１３と、入力部１３により生成した選局信号に対応する主視聴チャンネル及び副視聴チャンネルの選局を行う選局部８と、選局部８により選局された主視聴チャンネルの放送波を受信する第１の放送受信部１と、選局部８により選局された副視聴チャンネルの放送波を受信する第２の放送受信部２と、第１の放送受信部１により受信した放送波に対して再生するための信号処理を行うことで第１の放送信号を生成する第１の映像音声信号処理部３と、第２の放送受信部２により受信した放送波に対して再生するための信号処理を行うことで第２の放送信号を生成する第２の映像音声信号処理部４と、第１の放送信号と第２の放送信号とを、供給される制御信号を基に切り替えて出力する出力部２０とを備える。
【００１８】
また、本実施形態に係る放送受信装置１００は、第１の映像音声信号処理部３により生成された第１の放送信号からＣＭ放送の開始時点及び終了時点を検出するコマーシャル放送検出部７と、コマーシャル放送検出部７が検出したＣＭ放送の開始時点から予め設定されている所定時間さかのぼった時点までの間に受信していた第１の放送信号をＣＭ開始前放送信号として記憶する放送信号記憶部５と、コマーシャル放送検出部７がＣＭ放送の終了時点を検出したら、この終了時点から所定時間経過するまでの間の第１の放送信号と、ＣＭ開始前放送信号との類似の度合いを算出し、この類似の度合いが予め定めた閾値以下の場合は、第１の放送信号とＣＭ開始前放送信号とは類似すると判定し、類似の度合いが閾値を超えた場合は、第１の放送信号とＣＭ開始前放送信号とは類似しないと判定する判定処理を行う放送信号比較部６と、放送受信装置１００の中枢的な制御を行う制御部９と、放送受信プログラム等の放送受信装置１００が各種処理を行う上で必要なプログラムや各種設定値を記憶する記憶部１５とを備える。
【００１９】
制御部９は、記憶部１５に記憶された放送受信プログラムを実行することにより、放送信号比較部６が類似しないと判定し、かつ、出力部２０が第２の放送信号を出力している場合、出力部２０の出力を第２の放送信号から第１の放送信号に切り替えるための制御信号を生成し出力部２０へ供給する選局決定手段９ａを実装する。
【００２０】
また、出力部２０は、第１の映像音声信号処理部３により生成された第１の放送信号に含まれる映像信号と第２の映像音声信号処理部４により生成された第２の放送信号に含まれる映像信号との切替え又はこれらの合成若しくは合成解除を行う映像切替合成部１０と、第１の映像音声信号処理部３により生成された第１の放送信号に含まれる音声信号と第２の映像音声信号処理部４により生成された第２の放送信号に含まれる音声信号との切替えを行う音声切替部１７と、映像切替合成部１０及び音声切替部１７からの信号に応じて表示パネルや録画装置等の出力装置へ出力信号を送信する出力制御部１１とを備える。
【００２１】
次に図２のフローチャートに従って、本実施形態に係る放送受信装置１００の処理手順について説明する。
【００２２】
まず、制御部９は、入力部１３により受信したテレビジョン放送の主視聴チャンネルの選局信号を受付け、受け付けた選局信号を選局部８へ送信する。そして、選局信号を受け付けた選局部８は、この選局信号を第１の放送受信部１へ送信する。これにより、選局されたチャンネルが主視聴チャンネルとして設定される（ステップＳ１）。
【００２３】
そして、第１の放送受信部１は、選局部８により選局された主視聴チャンネルの放送波を第１の放送波として受信する。
【００２４】
次に、第１の映像音声信号処理部３が、第１の放送受信部１により受信した第１の放送波について、再生するための信号処理を行い第１の放送信号を生成する（ステップＳ２）。そして、第１の映像音声信号処理部３は、生成した第１の放送信号を放送信号記憶部５へ記憶する（ステップＳ３）。
【００２５】
そして、コマーシャル放送検出部７が、第１の映像音声信号処理部３により生成された第１の放送信号からＣＭ放送の開始時点及び終了時点を検出し、検出したＣＭ放送の開始時点又は終了時点を示すＣＭ放送状態データを制御部９へ送信する。
【００２６】
このコマーシャル放送検出部７より受信したＣＭ放送状態データがＣＭ放送の開始時点を示すデータであった場合（ステップＳ４）には、制御部９は、第１の映像音声信号処理部３へ第１の放送信号の記憶処理を停止させる信号を送信する（ステップＳ５）。
【００２７】
これにより、制御部９は、コマーシャル放送検出部７が検出したＣＭ放送の開始時点までの間に受信していた第１の放送信号をＣＭ開始前放送信号として放送信号記憶部５に記憶させることができる。
【００２８】
さらに、利用者等が予め放送信号記憶部５に記憶させる時間を設定しておくことによって、制御部９は、コマーシャル放送検出部７が検出したＣＭ放送の開始時点から予め設定されている所定時間さかのぼった時点までの間に受信していた第１の放送信号をＣＭ開始前放送信号として放送信号記憶部５に記憶させることができる。
【００２９】
具体的には、例えば、制御部９が、第１の映像音声信号処理部３が第１の放送信号の記憶を開始してから所定時間が経過するまで第１の放送信号を記憶するよう第１の映像音声信号処理部３を制御し、所定時間経過後は、制御部９が、記憶された放送信号のうち古い放送信号から順に消去し、新たな第１の放送信号を記憶するように第１の映像音声信号処理部３を制御する。これにより、第１の映像音声信号処理部３は、所定時間分に相当する最新の第１の放送信号をＣＭ開始前放送信号として放送信号記憶部５へ記憶することができ、放送信号記憶部５の記憶容量を低減することができる。なお、この所定時間は、１０秒から３０秒程度の値が予め提供者や利用者等によって入力部１３から入力されることで設定可能である。
【００３０】
以上のステップＳ３乃至Ｓ５の処理において、第１の映像音声信号処理部３は、第１の放送信号のうちＣＭ放送以外の放送信号をＣＭ開始前放送信号として放送信号記憶部５へ記憶することができる。
【００３１】
次に、制御部９の選局決定手段９ａは、主視聴チャンネルへの自動復帰を示すＣＭ終了自動復帰切替要求が入力されているか否かを判定し、入力されていると判定した場合は、ステップＳ７の処理へ移行させる（ステップＳ６）。
【００３２】
一方、制御部９の選局決定手段９ａは、ＣＭ終了自動復帰切替要求が入力されていないと判定したときに、コマーシャル放送検出部７よりＣＭ放送が終了されたことを示すＣＭ放送状態データを受信した場合、処理をステップＳ３へ移行させ、放送信号記憶部５への第１の放送信号の記憶を開始する（ステップＳ１３）。
【００３３】
次に、制御部９は、ＣＭ終了自動復帰切替要求が入力されていると判定した場合、入力部１３により受信したテレビジョン放送の副視聴チャンネルの選局信号を受付け、受け付けた選局信号を選局部８へ送信する。そして、選局信号を受け付けた選局部８は、この選局信号を第２の放送受信部２へ送信する。これにより、選局されたチャンネルが副視聴チャンネルとして設定される（ステップＳ７）。
【００３４】
そして、第２の放送受信部２は、選局部８により選局された副視聴チャンネルの放送波を第２の放送波として受信する。
【００３５】
次に、第２の映像音声信号処理部４が、第２の放送受信部２から受信した第２の放送波から第２の放送信号を生成する。そして、映像切替合成部１０が、生成された第２の放送信号のうち映像信号を受信し、受信した映像信号を第１の放送信号の映像信号と切り替え、又は合成する（ステップＳ８）。
【００３６】
ここで、映像信号の切り替えとは、例えば第１の放送信号の映像信号から第２の放送信号の映像信号へフルスクリーンの映像の出力元を変更することをいい、映像信号の合成とは、例えば、ピクチャーインピクチャーのように、第１の放送信号の映像信号をフルスクリーン表示し、第２の放送信号の映像信号を子画面表示することをいう。
【００３７】
また、音声切替部１７は、第２の放送信号のうち音声信号を受信し、受信した音声信号を第１の放送信号の音声信号と切り替える（ステップＳ８）。
【００３８】
次に、コマーシャル放送検出部７が、第１の映像音声信号処理部３から受信した第１の放送信号からＣＭ放送の終了時点を検出した場合（ステップＳ９）は、検出したＣＭ放送の終了時点を示すＣＭ放送状態データを放送信号比較部６へ送信する。
【００３９】
そして、コマーシャル放送検出部７によりこのＣＭ放送状態データを受信した放送信号比較部６は、このＣＭ放送の終了時点から所定時間経過するまでの間の第１の放送信号と、放送信号記憶部５へ記憶したＣＭ開始前放送信号との類似の度合いを算出し、この類似の度合いが予め定めた閾値以下の場合は、第１の放送信号とＣＭ開始前放送信号とは類似すると判定し、類似の度合いが閾値を超えた場合は、第１の放送信号とＣＭ開始前放送信号とは類似しないと判定する判定処理を行う（ステップＳ１０）。
【００４０】
具体的には、ステップ１０における類似又は非類似の判定処理を行うには、以下のような映像比較方法があり、いずれの方法を採用してもよい。
【００４１】
例えば、動きベクトル解析による映像比較方法がある。これは、ＣＭ放送の終了時点から所定時間経過するまでの間の第１の放送信号に含まれる映像信号と放送信号記憶部５へ記憶したＣＭ開始前放送信号に含まれる映像信号との間の動きベクトルの符号量を算出し、算出した動きベクトルの符号量が予め定めた閾値を超えた場合に、両映像信号は類似しないと判定するものである。
【００４２】
また、輝度信号解析による映像比較方法を用いても良い。これは、ＣＭ放送の終了時点から所定時間経過するまでの間の第１の放送信号に含まれる映像信号と放送信号記憶部５へ記憶したＣＭ開始前放送信号に含まれる映像信号について、YCbCr(Y:輝度信号,CbCr:色差信号)のYの値の差分値を算出し、映像信号全体にわたって算出した差分値の合計値が予め定めた閾値を超えた場合に、両映像信号は類似しないと判定するものである。
【００４３】
さらに、ＣＭ放送の終了時点から所定時間経過するまでの間の第１の放送信号のLine21に重畳されているクローズドキャプション情報を抽出し、抽出したクローズドキャプションデータと放送信号記憶部５へ記憶したＣＭ開始前放送信号のクローズドキャプションデータとの差異が所定の閾値以内であるか否かで両映像信号の類似又は非類似を判定したり、ＣＭ放送の終了時点から所定時間経過するまでの間の第１の放送信号の映像信号に重畳されている字幕データを抽出し、抽出した字幕データと、放送信号記憶部５へ記憶したＣＭ開始前放送信号の字幕データとの差異が所定の閾値以内であるか否かで両映像信号の類似又は非類似を判定することもできる。
【００４４】
ここで、この閾値は、高すぎると両映像信号が常に類似すると判定され、副視聴チャンネルから主視聴チャンネルへ切り替わることがなくなり、低すぎるとＣＭ開始前放送信号が再度出力されることになる。そのため、例えば９５％といったように、予め提供者等が実測に基づいた適性な値を予め算出し、提供者や利用者等が予め適正な値を設定しておく必要がある。
【００４５】
以上のように、放送信号比較部６が、例えば上記のような映像比較方法を用いて、ＣＭ放送の終了時点から所定時間経過するまでの間の第１の放送信号と、ＣＭ開始前放送信号との類似の度合いを算出し、この類似の度合いが予め定めた閾値以下の場合は、第１の放送信号とＣＭ開始前放送信号とは類似すると判定し、類似の度合いが閾値を超えた場合は、第１の放送信号とＣＭ開始前放送信号とは類似しないと判定する判定処理を行うことができる。
【００４６】
そして、放送信号比較部６は、第１の放送信号とＣＭ開始前放送信号とが類似すると判定している間はステップＳ１０の判定処理を繰り返し実行し、第１の放送信号とＣＭ開始前放送信号とが類似しないと判定した場合に（ステップＳ１１）、制御部９の選局決定手段９ａへＣＭ開始前放送終了信号を送信する。
【００４７】
そして、ＣＭ開始前放送終了信号を受信した制御部９の選局決定手段９ａは、映像切替合成部１０及び音声切替部１７へ第２の放送信号から第１の放送信号に切り替えて出力させるための制御信号を生成し送信する。（ステップＳ１２）。
【００４８】
具体的には、制御部９の選局決定手段９ａは、映像切替合成部１０へ出力元を第２の放送信号から第１の放送信号へ切り替えて出力させる切替信号、又は第１の放送信号と第２の放送信号との合成を解除させて第１の放送信号を出力させる合成解除信号を送信する。そして、切替信号又は合成解除信号を受信した映像切替合成部１０が、受信した信号に基づき、第１の放送信号を出力する。
【００４９】
また、制御部９の選局決定手段９ａは、音声切替部１７へ切替信号を送信し、切替信号を受信した音声切替部１７が、第２の放送信号の音声信号を第１の放送信号の音声信号へ切り替えて出力する。
【００５０】
以上のように、ＣＭ放送の終了時点から所定時間経過するまでの間の第１の放送信号と、ＣＭ開始前放送信号との類似の度合いが予め定めた閾値を超えた場合に、第１の放送信号とＣＭ開始前放送信号とは類似しないと判定し、類似しないと判定した場合に、出力制御部１１の出力を主視聴チャンネルである第１の放送信号に設定することできる。
【００５１】
これにより、視聴者によって主に視聴されている主視聴チャンネルがＣＭ放送中に、視聴者によって他チャンネルが選局されたとしても、主視聴チャンネルのＣＭ開始前放送を再度出力することなく、選択チャンネルを主チャンネルに切り替え、又は合成解除して主視聴チャンネルを出力することができ、ＣＭ開始前放送を視聴者に再度視聴させることを防止することができる。
【００５２】
図３は、本実施形態に係る放送受信装置１００の処理結果を時系列に示したタイミングチャートである。
【００５３】
図３に示すように、主視聴チャンネル１０１は第１の放送受信部１により選局されているチャンネルを示し、放送信号記憶１０２は、放送信号記憶部５に放送信号が記憶されている期間を示し、副視聴チャンネル１０３は第２の放送受信部２により選局されているチャンネルを示し、出力チャンネル１０４は、出力制御部１１により出力されるチャンネルを示している。
【００５４】
ここで、図３に示す“Ａ１”、“Ａ２”・・・は、“Ａ”チャンネルの番組放送を示し、“ＣＭ１”、“ＣＭ２”・・・は、ＣＭ放送を示し、“Ｂ１”は、“Ｂ”チャンネルの番組放送を示している。
【００５５】
まず、Ｔ０時において、制御部９は、入力部１３により受信したテレビジョン放送の主視聴チャンネルの選局信号として“Ａ”チャンネルを受付け、選局部８によって、第１の放送受信部１の主視聴チャンネルが“Ａ”に設定される。
【００５６】
そして、放送信号記憶１０２に示すように、Ｔ０時以降、第１の映像音声信号処理部３が、“Ａ”チャンネルの放送信号をＣＭ開始前信号として放送信号記憶部５へ記憶する。
【００５７】
次に、Ｔ１時において、主視聴チャンネルへの自動復帰を示すＣＭ終了自動復帰切替要求が入力されている。
【００５８】
次に、Ｔ３時において、コマーシャル放送検出部７が、第１の放送信号からＣＭ放送“ＣＭ１”の開始を検出し、第１の映像音声信号処理部３が、“Ａ”チャンネルの放送信号の記憶処理を停止する。
【００５９】
これにより、放送信号記憶１０２に示すように、第１の映像音声信号処理部３は、“Ａ”チャンネルの放送信号のうちＣＭ放送以外の放送信号をＣＭ開始前放送信号として記憶することができる。
【００６０】
なお、所定時間分の第１の放送信号を記憶するように設定されている場合には、制御部９は、Ｔ３時までの所定時間分の“Ａ”チャンネルの放送信号がＣＭ開始前放送信号として放送信号記憶部５へ記憶されるように第１の映像音声信号処理部３を制御する。
【００６１】
次に、副視聴チャンネル１０３に示すように、Ｔ４時において、制御部９は、入力部１３により受信したテレビジョン放送の副視聴チャンネルの選局信号として“Ｂ”チャンネルを受付け、選局部８により第２の放送受信部２の副視聴チャンネルが“Ｂ”に設定される。
【００６２】
そして、映像切替合成部１０が、信号処理された“Ｂ”チャンネルの放送信号のうち映像信号を受信し、受信した映像信号を第１の放送受信部１からの“Ａ”チャンネルの映像信号と切り替え又は合成する。
【００６３】
また、音声切替部１７は、信号処理された“Ｂ”チャンネルの放送信号のうち音声信号を受信し、受信した音声信号を第１の放送受信部１からの“Ａ”チャンネルの音声信号と切り替える。
【００６４】
これにより、出力チャンネル１０４に示すように、Ｔ４時以降、“Ｂ”チャンネルの放送信号が出力制御部１１により出力されている。
【００６５】
次に、主視聴チャンネル１０１に示すように、Ｔ５時に、コマーシャル放送検出部７が、第１の放送受信部１からの“Ａ”チャンネルの放送信号からＣＭ放送“ＣＭ１”の終了時点を検出し、検出したＣＭ放送“ＣＭ１”の終了時点を示すＣＭ放送状態データを放送信号比較部６へ送信する。
【００６６】
そして、主視聴チャンネル１０１に示すように、Ｔ５時以降、放送信号比較部６が、第１の放送受信部１により受信された放送信号“Ａ２”と、放送信号記憶１０２に示すように、放送信号記憶部５にＣＭ開始前放送信号として記憶した放送信号“Ａ１”及び“Ａ２”とを比較する。
【００６７】
具体的には、例えば、放送信号比較部６が、ＣＭ放送“ＣＭ１”の放送終了時点、即ちＴ５時における第１の放送信号“Ａ２”の映像信号と、放送信号記憶部５によりＣＭ開始前放送信号として記憶した“Ａ１”及び“Ａ２”の全ての映像信号との間の動きベクトルの符号量を算出する。そして、放送信号比較部６は、Ｔ５時の“Ａ２”の映像信号と、Ｔ２時に放送信号記憶部５により記憶した第１の放送信号“Ａ２”との符号量が予め定めた閾値以内であるので、両映像信号は類似すると判定し、Ｔ６時になるまで比較処理を継続する。
【００６８】
そして、Ｔ６時になったとき、主視聴チャンネル１０１に示すように、第１の放送信号が“Ａ３”となり、放送信号記憶１０２に示すように、放送信号記憶部５により記憶したＣＭ開始前放送信号は“Ａ１”及び“Ａ２”であるので、放送信号比較部６は、両放送信号の符号量が予め定めた閾値を超え、両放送信号は類似しないと判定する。
【００６９】
そこで、制御部９の選局決定手段９ａは、映像切替合成部１０へ切替信号又は合成解除信号を送信し、切替信号又は合成解除信号を受信した映像切替合成部１０が、現在出力制御部１１へ出力している副視聴チャンネルである“Ｂ”チャンネルの映像信号を主視聴チャンネルである“Ａ”チャンネルの映像信号へ切り替え、又は合成を解除する。
【００７０】
また、同時に、制御部９の選局決定手段９ａは、音声切替部１７へ切替信号を送信し、切替信号を受信した音声切替部１７が、現在出力制御部１１へ出力している副視聴チャンネルである“Ｂ”チャンネルの音声信号を主視聴チャンネルである“Ａ”チャンネルの音声信号へ切り替える。
【００７１】
これにより、出力チャンネル１０４に示すように、Ｔ６時以降、“Ａ”チャンネルの放送信号が出力制御部１１により出力されている。
【００７２】
以上のように、ＣＭ放送の終了時点から所定時間経過するまでの間の第１の放送信号と、ＣＭ開始前放送信号との類似の度合いが閾値を超えた場合に、第１の放送信号とＣＭ開始前放送信号とは類似しないと判定し、類似しないと判定した場合に、出力制御部１１の出力を主視聴チャンネルである第１の放送信号に設定する。これにより、視聴者によってもともと選局されていたチャンネル“Ａ”のＣＭ開始前放送“Ａ２”が終了したときに、選択チャンネル“Ｂ”を元のチャンネル“Ａ”に切り替えることができ、視聴者が既に視聴済みであるＣＭ開始前放送“Ａ２”を再度出力することを防止することができる。
【００７３】
＜変形例１＞
図４は、変形例１に係る放送受信装置２００の構成を示すブロック図である。
【００７４】
本実施形態に係る放送受信装置１００では、全ての番組ジャンルについて放送信号の類似又は非類似の判定処理を実行し、判定結果に基づいて出力制御部１１の出力チャンネルを設定した。変形例１に係る放送受信装置２００では、番組ジャンルデータを取得し、取得した番組ジャンルデータに応じて放送信号の判定処理を行うか否かを決定する。
【００７５】
図４に示すように、変形例１に係る放送受信装置２００は、本実施形態に係る放送受信装置１００の構成に加え、更に、第１の放送波の中から、この第１の放送波によって放送される番組のジャンルを示す番組ジャンルデータを取得する番組ジャンル取得部１６と、番組ジャンルデータごとに放送信号比較部６に判定処理を実行させるか否かを示したジャンル判定データを記憶する記憶部１５と、取得した番組ジャンルデータを基に、この番組ジャンルデータに対応した番組コンテンツの放送期間内で判定処理を行うか否かを決定する判定処理決定器６ａとを備える。
【００７６】
図５は、変形例１に係る放送受信装置の処理手順を示すフローチャートである。
【００７７】
図５に示すように、第１の放送受信部１の主視聴チャンネルが設定された（ステップＳ１）後、番組ジャンル取得部１６は、第１の放送波から、この第１の放送波の番組ジャンルを示す番組ジャンルデータを取得する（ステップＳ１４）。
【００７８】
ここで、番組ジャンルデータとは、番組のジャンルを示すデータである。例えば、番組内容に応じて、ニュース報道、スポーツ、情報ワイドショー、映画、音楽、ドラマ、バラエティ、アニメなどに分類されたジャンルに対して一意に割り付けられたコードを示す。
【００７９】
また、記憶部１５には、この番組ジャンルデータに関連付けられて、放送信号比較部６に判定処理を実行させるか否かを示したジャンル判定データが記憶されている。
【００８０】
例えば、放送信号比較部６に比較の判定処理を実行させない番組ジャンルとして、ＣＭ開始前放送の再放送を行うことの少ない番組ジャンルである“ニュース報道”、“スポーツ”、“情報ワイドショー”、“映画”、“音楽”、“ドキュメンタリー・教養”、“趣味教育”、“福祉”などが予め記憶部１５に記憶されている。
【００８１】
そして、放送信号比較部６に比較の判定処理を実行させる番組ジャンルとして、ＣＭ開始前放送の再放送を行うことの多い番組ジャンルである“ドラマ”、“バラエティ”、“アニメ”、“特撮”などが予め記憶部１５に記憶されている。
【００８２】
そして、放送信号比較部６の判定処理決定器６ａが、番組ジャンル取得部１６により取得した番組ジャンルデータに対応するジャンル判定データを記憶部１５から読み込み、読み込んだジャンル判定データに基づいて、放送信号比較部６が判定処理を実行するか否かの決定を行う（ステップＳ１４）。
【００８３】
これにより、判定処理決定器６ａは、番組ジャンル取得部１６が取得した番組ジャンルデータの示す番組がＣＭ開始前放送の再放送を行うことの多い番組ジャンルである場合には、放送信号比較部６に判定処理を実行させ、番組ジャンル取得部１６が取得した番組ジャンルデータの示す番組がＣＭ開始前放送の再放送を行うことの少ない番組ジャンルである場合には、放送信号比較部６に判定処理をスキップさせることができる。
【００８４】
以上のように、判定処理決定器６ａが、番組の番組ジャンル情報を取得し、取得した番組ジャンルに応じて放送信号の判定処理を実行するか否かを決定することによって、放送信号比較部６の負荷を低減することができる。
【００８５】
なお、上記説明では、番組ジャンルデータは放送波から取得する例を示したが、番組ジャンルデータは放送波から取得するだけでなく、例えばインターネットなどを用いて、番組情報提供事業者が用意する番組情報提供用のサーバにアクセスして取得しても良い。
【図面の簡単な説明】
【００８６】
【図１】本発明に係る放送受信装置の一実施形態を示したブロック図である。
【図２】本実施形態に係る放送受信装置の処理手順を示したフローチャートである。
【図３】本実施形態に係る放送受信装置の処理結果を時系列に示したタイミングチャートである。
【図４】変形例１に係る放送受信装置の構成を示すブロック図である。
【図５】変形例１に係る放送受信装置の処理手順を示すフローチャートである。
【符号の説明】
【００８７】
１…第１の放送受信部
２…第２の放送受信部
３…第１の映像音声信号処理部
４…第２の映像音声信号処理部
５…放送信号記憶部
６…放送信号比較部
６ａ…判定処理決定器
７…コマーシャル放送検出部
８…選局部
９…制御部
９ａ…選局決定手段
１０…映像切替合成部（合成器）
１１…出力制御部
１２…表示部
１３…入力部
１５…記憶部
１６…番組ジャンル取得部
１７…音声切替部
２０…出力部
１００…放送受信装置
【図１】
2008113326.tif 000003
【図２】
2008113326.tif 000004
【図３】
2008113326.tif 000005
【図４】
2008113326.tif 000006
【図５】
2008113326.tif 000007